(57)【要約】【課題】第１パネル（１）と、第２パネル（２）と、第１パネルを第２パネルに係止するための機械式係止装置とからなるセットであって、第１パネル（１）は第１縁部面（１２）及び第１パネル面（１３）を含み、第２パネル（２）は第２縁部面（４）及び第２パネル面を含み、第１縁部面（１２）は、第１パネル及び第２パネルの係止位置で第２パネル面に面するセットを提供する。【解決手段】機械式係止装置は、第１縁部面（１２）のロッド状エレメント（８）と、第２パネル面（３）の挿入溝（７）と、第２縁部面（４）の縁部溝（５）及び縁部溝（５）に位置決めされた可撓性タング（６）とを含む。ロッド状エレメント（８）は凹所（９）を備えており、ロッド状エレメント（８）は、挿入溝（７）に挿入されるように形成されている。可撓性タング（６）は、第１パネル（１）を第２パネル（２）に係止するため、凹所（９）と協働するように形成されている。
2020500280.tif 000002
【特許請求の範囲】
【請求項１】
第１パネル（１）と、第２パネル（２）と、前記第１パネルを前記第２パネルに係止するための機械式係止装置からなるセットであって、前記第１パネル（１）は第１縁部面（１２）及び第１パネル面（１３）を含み、前記第２パネル（２）は第２縁部面（４）及び第２パネル面（３）を含み、前記第１縁部面（１２）は、前記第１パネル及び前記第２パネルの係止位置で前記第２パネル面（３）に面するセットにおいて、
前記機械式係止装置は、前記第１縁部面（１２）のロッド状エレメント（８）及び前記第２パネル面（３）の挿入溝（７）を含み、
前記機械式係止装置は、前記第２縁部面（４）の縁部溝（５）及び前記縁部溝（５）に位置決めされた可撓性タング（６）を含み、
前記ロッド状エレメント（８）は凹所（９）を備えており、
前記ロッド状エレメント（８）は、前記挿入溝（７）に挿入されるように形成されており、
前記可撓性タング（６）は、前記第２パネル面（３）に垂直な第１方向で前記第１パネル（１）を前記第２パネル（２）に係止するため、前記凹所（９）と協働するように形成されており、前記挿入溝（７）は、前記第２パネル面（３）から前記縁部溝（５）まで延びている、ことを特徴とするセット。
【請求項２】
前記機械式係止装置は、前記第１縁部面（１２）が第２パネル面（３）に当たった状態で配置されたとき、前記ロッド状エレメント（８）が前記挿入溝（７）に挿入され、前記第１パネル（１）を前記第２パネル（２）に自動的に係止するように形成されている、請求項１に記載のセット。
【請求項３】
前記ロッド状エレメント（８）は、長手方向が前記第１パネル面と平行な細長形状を有する、請求項１又は２に記載のセット。
【請求項４】
前記第２パネル面（３）と平行な平面での前記ロッド状エレメント（８）の第１断面は円形形状又は矩形形状である、請求項１、２、又は３に記載のセット。
【請求項５】
前記第２パネル面と平行な平面での前記挿入溝（７）の第２断面は、前記第２パネル面と平行な平面での前記ロッド状エレメント（８）の第１断面と一致する形状を有する、請求項１乃至４のうちのいずれか一項に記載のセット。
【請求項６】
前記挿入溝は、前記縁部溝（５）から所定距離のところに配置された底面（４３）を含む、底付きドリル穴等の底付き溝である、請求項１乃至５のうちのいずれか一項に記載のセット。
【請求項７】
挿入溝は、前記縁部溝（５）の第１側の第１部分、及び前記縁部溝（５）の第２側の第２部分を含み、前記第２部分は前記底面（４３）及び側壁（７１、７２）を含み、係止位置において、前記ロッド状エレメントは、前記挿入溝の前記第１部分及び前記縁部溝（５）を通って前記挿入溝の前記第２部分内に延びる、請求項６に記載のセット。
【請求項８】
前記ロッド状エレメント（８）は、前記挿入溝の前記第２部分の前記側壁（７１、７２）と協働するように形成されている、請求項７に記載のセット。
【請求項９】
前記ロッド状エレメント（８）は、前記底面（４３）と協働するように形成されている、請求項７又は８に記載のセット。
【請求項１０】
前記第１縁部面（１２）は、二つ又はそれ以上の前記ロッド状エレメントを含み、前記第２パネル面（３）は、好ましくは直線的に配置された二つ又はそれ以上の前記挿入溝（７）を含み、前記ロッド状エレメントの各々は、前記挿入溝のうちの一つに挿入されるように形成されている、請求項１乃至９のうちのいずれか一項に記載のセット。
【請求項１１】
前記縁部溝（５）は、円形断面を有する、請求項１乃至１０のうちのいずれか一項に記載のセット。
【請求項１２】
前記縁部溝（５）は、前記第２縁部面（４）の長手方向に延びる縦溝である、請求項１乃至１０のうちのいずれか一項に記載のセット。
【請求項１３】
前記縁部溝は、前記第２縁部面（４）から前記挿入溝（７）まで延びる、請求項１乃至１２のうちのいずれか一項に記載のセット。
【請求項１４】
前記縁部溝（５）は、前記挿入溝（７）から所定距離のところに底面（４４）が配置された底付き溝である、請求項１乃至１３のうちのいずれか一項に記載のセット。
【請求項１５】
前記可撓性タング（６）は、前記凹所（９）と前記縁部溝（５）の前記底面（４４）との間に配置されている、請求項１４に記載のセット。
【請求項１６】
前記可撓性タングは、係止位置において、前記凹所（９）と前記縁部溝の前記底面（４４）との間に配置される、請求項１４又は１５に記載のセット。
【請求項１７】
前記ロッド状エレメント（８）は、前記第１縁部面（１２）の取り付け溝（４５）に取り付けられるように形成されている、請求項１乃至１６のうちのいずれか一項に記載のセット。
【請求項１８】
前記第２縁部面（４）は、前記第２パネル面（３）に対して本質的に垂直である、請求項１乃至１７のうちのいずれか一項に記載のセット。
【発明の詳細な説明】
【技術分野】
【０００１】
本発明の実施例は、互いに垂直に配置され、機械式係止装置によって互いに係止されるパネルに関する。これらのパネルは、組み立てられて互いに係止されることによって、本棚、戸棚、洋服箪笥、箱、引き出し、又は家具構成要素等の家具製品を形成する。係止装置は、可撓性タングを含んでいてもよい。
【背景技術】
【０００２】
機械式係止装置を備えた家具製品は、ＷＯ２０１５／０３８０５９に記載されているように、当該技術分野で周知である。この家具製品は、挿入溝内の可撓性タングを含む機械式係止装置によって第２パネルに対して垂直に連結された第１パネルを含む。
【０００３】
様々な周知の特徴の以上の説明は、出願人のこうした家具製品の特徴であり、以上の説明が従来技術であると考えられることを許可するものではない。
【先行技術文献】
【特許文献】
【０００４】
【特許文献１】ＷＯ２０１５／０３８０５９
【発明の概要】
【発明が解決しようとする課題】
【０００５】
本発明の目的は、上文中に説明した、当該技術分野で周知の技術に対する改良を提供することであり、詳細には、第２パネルの第２パネル面の挿入溝の大きさを小さくすることである。大きさを小さくすることには、係止強度を高める利点がある。
【課題を解決するための手段】
【０００６】
これらの及び他の目的及び利点の少なくとも幾つかは、第１パネルと、第２パネルと、第１パネルを第２パネルに係止するための機械式係止装置とからなるセットを含む本発明の第１の態様についての説明から明らかになるであろう。第１パネルは、第１縁部面及び第１パネル面を含む。第２パネルは、第２縁部面及び第２パネル面を含む。第１縁部面は、第１及び第２のパネルが係止位置にある場合に第２パネル面に面する。機械式係止装置は、第１縁部面のロッド状エレメント及び第２パネル面の挿入溝を備えている。
【０００７】
機械式係止装置は、更に、第２縁部面の縁部溝及び縁部溝に位置決めされた可撓性タングを含む。ロッド状エレメントは凹所を備えていている。ロッド状エレメントは挿入溝に挿入されるように形成されており、可撓性タングは、第１パネルを第２パネル面に対して垂直な第１方向で第２パネルに係止するため、凹所と協働するように形成されている。
【０００８】
可撓性タングの係止面は、第１パネルを第２パネルに係止するため、凹所の係止面と協働してもよい。
【０００９】
挿入溝は、第２パネルの第２パネル面に、及びコアに形成されていてもよい。
【００１０】
第２パネル面は装飾層を備えていてもよく、挿入溝は装飾層を貫通していてもよい。
【００１１】
挿入溝は、フライス加工、ドリル加工、又は鋸断等の機械的切削によって形成されていてもよい。
【００１２】
ロッド状エレメント及び第２パネル面の挿入溝には、係止装置の溝の大きさが公知の機械式係止装置よりも小さいという利点がある。縁部溝を覆うため、及び第２縁部を強化するため、好ましくは、縁部バンド等の縁部エレメントが第２縁部に取り付けられる。
【００１３】
挿入溝をドリル加工によって形成してもよいという別の利点が得られる。これにより、係止位置での第１パネルの第２パネルに対する位置が改善される。
【００１４】
第１パネル及び第２パネルは、好ましくは家具製品用のパネルであり、家具製品のフレームの一部であってもよい。
【００１５】
セットは、好ましくは、第１パネル面が第２パネル面に対して垂直な状態で、又は本質的に垂直な状態で、第１パネルを第２パネルに係止するように形成されている。
【００１６】
機械式係止装置は、ロッド状エレメントが挿入溝に挿入され、第１縁部面が第２パネル面に当たった状態で配置されたとき、第１パネルを第２パネルに自動的に係止するように形成されている。
【００１７】
ロッド状エレメントは、第１パネル面に対して垂直な第２方向で第１パネルを第２パネルに係止するため、好ましくは、挿入溝と協働するように形成されている。
【００１８】
ロッド状エレメントは、好ましくは、第１方向及び第２方向に対して垂直な第３方向で第１パネルを第２パネルに係止するため、好ましくは、挿入溝と協働するように形成されている。
【００１９】
ロッド状エレメントは、好ましくは、長手方向が第１パネル面と平行な縦形状を有する。
【００２０】
第２パネル面と平行な平面でのロッド状エレメントの第１断面は、円形形状又は矩形形状であってもよい。
【００２１】
第２パネル面と平行な平面での挿入溝の第２断面は、好ましくは、第１断面と一致する形状を有する。
【００２２】
挿入溝は、第２パネル面から縁部溝まで延びていてもよい。
【００２３】
ロッド状エレメントの外面又は包囲面等のロッド状エレメントの一部は、第２方向で係止するため、挿入溝の側壁と協働するように形成されていてもよい。
【００２４】
側壁は、第２パネルのコアの材料でできていてもよい。
【００２５】
挿入溝は、縁部溝から所定距離のところに配置された底面と含む、底付きドリル穴等の底付き溝であってもよい。
【００２６】
挿入溝は、縁部溝の第１側の第１部分及び縁部溝の第２側の第２部分を含んでいてもよく、第２部分は底面及び側壁を含み、係止位置において、ロッド状エレメントは、挿入溝の第１部分及び縁部溝を通って挿入溝の第２部分内に延びる。
【００２７】
第１部分は側壁を備えていてもよく、第２方向で係止するため、ロッド状エレメントの外面又は包囲面等のロッド状エレメントの一部が第１部分の側壁と協働するように形成されていてもよい。
【００２８】
ロッド状エレメントは、係止位置において、底面と協働するように形成されていてもよい。
【００２９】
第１縁部面は、二つ又はそれ以上のロッド状エレメントを含んでいてもよく、第２パネル面は、好ましくは直線的に配置された二つ又はそれ以上の挿入溝を含んでいてもよく、ロッド状エレメントの各々は、挿入溝のうちの一つに挿入されるように形成されている。
【００３０】
縁部溝は、例えばフライス加工、ドリル加工、又は鋸断等の機械的切削によって、第２パネルの第２縁部面に及びコアに形成されていてもよい。
【００３１】
縁部溝は、第１パネル面と平行な平面内に円形断面を備えていてもよい。
【００３２】
縁部溝は、第２縁部面の長手方向に延びる縦溝であってもよい。
【００３３】
縁部溝は、第２縁部面から挿入溝まで延びていてもよい。
【００３４】
縁部溝は、挿入溝から所定距離のところに底面が位置決めされた底付き溝であってもよい。
【００３５】
可撓性タングは、好ましくは、縁部溝の底面に配置されている。
【００３６】
可撓性タングは、係止位置において、凹所と縁部溝の底面との間に配置されていてもよい。
【００３７】
ロッド状エレメントは、第１縁部面の取り付け溝に取り付けられるように形成されていてもよい。この実施例の利点は、第１パネルを製造する上での材料の無駄が少なくなるということである。
【００３８】
挿入溝は、第２縁部面と隣接していてもよい。
【００３９】
第２縁部面は、第２パネル面に対して本質的に垂直であってもよい。
【００４０】
縁部溝の長さ方向は、第２縁部に沿って延びていてもよい。
【００４１】
可撓性タングは、好ましくは、縁部溝内で変位可能である。
【００４２】
可撓性タングは、ＷＯ２０１５／１０５４４９に説明されており且つその図２Ａ−図２Ｆに示された可撓性タングによる可撓性タングであってもよい。出典を明示することにより、ＷＯ２０１５／１０５４４９の図２Ａ−図２Ｆ及びこれと関連した第６頁第１５行目乃至第７頁第２行目に開示された全ての内容は本明細書の開示の一部とされる。
【００４３】
第１パネル及び／又は第２パネルのコアは、好ましくは、ＭＤＦ、ＨＤＦ、ＯＳＢ、ＷＰＣ、合板、又はパーティクルボードで形成された木材を基材としたコアであってもよい。コアは、熱硬化性プラスチック又は熱可塑性樹脂、例えばビニル、ＰＶＣ、ＰＵ、又はＰＥＴを含むプラスチックコアであってもよい。プラスチックコアは、充填材を含んでいてもよい。
【００４４】
第１パネル及び／又は第２パネルは、無垢材で形成されていてもよい。
【００４５】
第１パネル及び／又は第２パネルには、ホイルやベニヤ等の装飾層が一つ又はそれ以上の表面に設けられていてもよい。
【００４６】
本発明の実施例を示す添付の概略図を参照して例として本発明を更に詳細に説明する。
【図面の簡単な説明】
【００４７】
【図１Ａ】図１Ａは、本発明の一実施例による可撓性タングの実施例を示す図である。
【図１Ｂ】図１Ｂは、組み立て中の本発明の一実施例の立体図である。
【図２Ａ】図２Ａは、本発明の一実施例による第１パネルの一実施例の側面図である。
【図２Ｂ】図２Ｂは、本発明の一実施例による第１パネルの一実施例の側面図である。
【図２Ｃ】図２Ｃは、図２Ｂに示す実施例の一部の拡大図である。
【図３】図３は、本発明の一実施例による、係止位置の第１パネル及び第２パネルの一実施例の図である。
【図４Ａ】図４Ａは、本発明の一実施例による、係止位置の第１パネル及び第２パネルの一実施例の断面図である。
【図４Ｂ】図４Ｂは、図４Ａに示す実施例の一部の拡大図である。
【図５Ａ】図５Ａは、本発明の一実施例による可撓性タングの実施例を示す図である。
【図５Ｂ】図５Ｂは、組み立て中の本発明の一実施例の立体図である。
【図６】図６は、本発明の一実施例による第２パネルの一実施例を示す図である。
【図７Ａ】図７Ａは、本発明の一実施例による、係止位置の第１パネル及び第２パネルの一実施例の側面図である。
【図７Ｂ】図７Ｂは、本発明の一実施例による、係止位置の第１パネル及び第２パネルの一実施例の側面図である。
【図８Ａ】図８Ａは、本発明の一実施例による、係止位置の第１パネル及び第２パネルの一実施例の断面図である。
【図８Ｂ】図８Ｂは、図８Ａに示す実施例の一部の拡大図である。
【発明を実施するための形態】
【００４８】
次に、本発明の特定の実施例を添付図面を参照して説明する。しかしながら、本発明は、多くの様々な形態で実施されてもよく、本明細書中に説明した実施例に限定されると解釈されるべきではない。むしろ、これらの実施例は、本開示が完璧であるようにするために提供されるものであり、本発明の範囲を当業者に完全に伝えようとするものである。添付図面に示す実施例の詳細な説明で使用した用語は、本発明を限定しようとするものではない。添付図面では、同様の参照番号が同様のエレメントに付してある。
【００４９】
本発明の第１実施例を図１Ａ−図４Ｂに示す。この実施例は、第１パネル１と、第２パネル２と、第１パネル１を第２パネル２に係止するための機械式係止装置からなるセットを含む。第１パネル１は、第１縁部面１２及び第１パネル面１３を有する。第２パネル２は、第２縁部面４及び第２パネル面３を有する。第１及び第２のパネルの係止位置において、第１縁部面１２は第２パネル面３に面する。機械式係止装置は、第１縁部面１２のロッド状エレメント８及び第２パネル面３の挿入溝７を含む。機械式係止装置は、更に第２縁部面４の縁部溝５及びこの縁部溝５に位置決めされた可撓性タング６を含む。ロッド状エレメント８は凹所９を備えている。ロッド状エレメント８は、挿入溝７に挿入されるように形成されている。可撓性タング６は、第２パネル面３に対して垂直な第１方向で第１パネルを第２パネル２に係止するため、凹所９と協働するように形成されている。
【００５０】
第１パネル及び第２パネル２は、好ましくは、家具製品用のパネルであり、家具製品のフレームの一部であってもよい。
【００５１】
セットは、好ましくは、第１パネル１を第２パネル２に、第１パネル面１３が第２パネル面３に対して垂直な状態で又は本質的に垂直な状態で係止するように形成されている。
【００５２】
図１Ｂは、第１実施例を組み立て中の立体図で示す。第１パネルは、第１パネルを第２パネルに対して、第２パネル面３に垂直な方向に変位することによって組み立てられてもよい。機械式係止装置は、ロッド状エレメント８が挿入溝７に挿入され、第１縁部面１２が第２パネル面３に当たった状態で配置されたとき、第１パネル１を第２パネル２に自動的に係止するように形成されていてもよい。
【００５３】
挿入溝７は、第２パネル２の第２パネル面３に、及びコアに形成されてもよい。
【００５４】
第２パネル面３は装飾層を備えていてもよく、挿入溝はこの装飾層を貫通していてもよい。
【００５５】
挿入溝は、ドリル加工等の機械式切削によって形成されてもよい。
【００５６】
縁部溝５を覆うため、及び第２縁部４を強化するため、好ましくは、縁部バンド等の縁部エレメント１０が第２縁部に取り付けられる。縁部エレメント１０は、第２縁部に接着されてもよく、又は機械式係止装置によって取り付けられてもよい。この機械式係止装置は、縁部溝５に挿入されるように形成された縁部エレメントから突出した部分を含んでいてもよい。前記部分は、摩擦によって縁部溝５に取り付けられてもよい。可撓性タング６及び縁部溝５が見えるようにするため、縁部エレメントは、図１Ｂでは、一部を除去した状態で示してある。可撓性タング６は、縁部溝５に位置決めされる前の状態で示してある。縁部溝５は、円形断面を備えていてもよい。
【００５７】
可撓性タング６の一実施例を図１Ａに立体図で示す。可撓性タング６は、好ましくは縁部溝５の円形断面と一致する包囲面を備えていてもよい。可撓性タングの第１部分は、挿入溝と協働するように形成されており、第２部分は、ロッド状エレメント８の凹所９と協働するように形成されている。可撓性タングのこの実施例の利点は、縁部溝の大きさが小さくてもよいということである。縁部溝が小さいことには、第２パネルの第２縁部の強度の効果が限定される、即ち存在しないという利点がある。
【００５８】
第２部分は、組み立て中にロッド状エレメント８と協働するように形成された第１面取り部６５、及び係止用凹所と協働するように形成された第２面取り部６４を含んでいてもよい。
【００５９】
可撓性タングは、組み立て中に可撓性タングが縁部溝内で圧縮でき且つ変位できるように、可撓性材料でできていてもよい。
【００６０】
可撓性タングは、組み立て中に可撓性タングが縁部溝内で圧縮でき且つ変位できるように可撓性のエレメント、及び係止強度を改善するため、可撓性が低い別のエレメントでできていてもよい。
【００６１】
可撓性タング６の包囲面の一部は、縁部溝５の円筒形表面等の表面に当たった状態で変位されるように形成されていてもよい。
【００６２】
第１縁部面１２には、二つ又はそれ以上の前記ロッド状エレメントが設けられていてもよく、第２パネル面３には、好ましくは直線をなして配置された二つ又はそれ以上の前記挿入溝７が設けられていてもよく、ロッド状エレメントの各々は、挿入溝に一つづつ挿入されるように形成されている。
【００６３】
図２Ａは、第１パネル１の第１側面図を示し、図２Ｂは、第１パネル１の第２側面図を示す。図２Ｃは、図２Ｂの丸で囲った領域の拡大図を示す。凹所９の一実施例を備えたロッド状エレメント８の一実施例を示す。ロッド状エレメントは縦形状を有し、長さ方向が第１パネル面と平行である。第２パネル面３と平行な平面内のロッド状エレメント８の第１断面は円形形状であってもよく、矩形形状であってもよく、星型形状であってもよく、楕円形形状であってもよく、六角形形状であってもよい。
【００６４】
挿入溝７とロッド状エレメント８との間の係止面を協働することによって、第１パネル１を第２パネル２に、第１パネル面に対して垂直な第２方向で係止してもよい。
【００６５】
挿入溝７とロッド状エレメント８との間の係止面を協働することによって、第１パネル１を第２パネル２に、第１方向及び第２方向表面に対して垂直な第３方向で係止してもよい。
【００６６】
第２パネル面と平行な平面内の挿入溝７の第２断面は、好ましくは、第２パネル面と平行な平面でのロッド状エレメント８の第１断面と一致する形状を有する。これにより、第１パネル１の第２パネル２に対する第２方向での係止が改善されるという利点が得られ、及び／又は第１パネル１の第２パネル２に対する第３方向での係止が改善されるという利点が得られる。
【００６７】
図３は、第１パネル１及び第２パネル２の係止位置での側面図を示す。
【００６８】
図４Ａは、係止位置にある第１パネル及び第２パネルの、図３で４Ａ線を付した場所の断面を示す。図４Ｂは、図４Ａの丸で囲った領域の拡大図を示す。挿入溝は、第２パネル面３から縁部溝５まで延びていてもよい。
【００６９】
可撓性タング６の係止面６２は、第１パネルを第２パネルに係止するため、凹所８１の係止面８２と協働する。
【００７０】
挿入溝は、縁部溝５から所定距離のところに底面４３が配置された底付きドリル穴等の底付き溝であってもよい。
【００７１】
挿入溝は、縁部溝５の第１側に第１部分を有し、縁部溝５の第２側に第２部分を有し、第２部分は底面４３及び側壁７１、７２を含み、係止位置では、ロッド状エレメントが挿入溝の第１部分を通り、縁部溝５を通って挿入溝の第２部分内に延びる。
【００７２】
ロッド状エレメント８は、第２方向で係止するため、挿入溝の第２部分の側壁７１、７２と協働するように形成されていてもよい。
【００７３】
ロッド状エレメント８は、係止位置において、底面４３と協働するように形成されていてもよい。
【００７４】
第１部分は側壁７３、７４を含んでいてもよく、ロッド状エレメント８は、第２方向で係止するため、第１部分の側壁７３、７４と協働するように形成されていてもよい。
【００７５】
側壁は、第２パネルのコアの材料でできていてもよい。
【００７６】
縁部溝５は、第２縁部面４から挿入溝７まで延びていてもよい。
【００７７】
縁部溝５は、挿入溝７から所定距離のところに底面４４が配置された底付き溝であってもよい。
【００７８】
可撓性タング６は、縁部溝５の底面４４に配置されてもよい。
【００７９】
可撓性タングは、係止位置において、凹所９と縁部溝の底面４４との間に配置されてもよい。
【００８０】
ロッド状エレメント８は、第１縁部面１２の取り付け溝４５に取り付けられるように形成されていてもよい。
【００８１】
ロッド状エレメント８は、第１縁部面１２の取り付け溝４５に接着されるように形成されていてもよい。
【００８２】
ロッド状エレメント８は、摩擦連結によって、又はねじ等の機械的連結によって、又は返し等の係止エレメントによって、取り付け溝４５に係止されるように形成されていてもよい。
【００８３】
第２縁部面４は、第２パネル面３に対して本質的に垂直であってもよい。
【００８４】
本発明の第２実施例を、第１パネル１と、第２パネル２と、第１パネルを第２パネルに係止するための機械式係止装置からなるセットを含む図５Ａ乃至図８Ｂに示す。この実施例は、第２縁部面４の長さ方向に延びる長さ方向溝である縁部溝５の一実施例を含む。
【００８５】
図５Ｂは、組み立て中の第２実施例の立体図を示す。第１パネルは、第１パネルを第２パネルに対して第２パネル面３に対して垂直な方向に変位することによって組み立てられてもよい。機械式係止装置は、ロッド状エレメント８を挿入溝７に挿入し、第１縁部面１２が第２パネル面３に当たった状態で配置されたとき、第１パネル１が第２パネル２に自動的に係止するように形成されていてもよい。
【００８６】
挿入溝７は、第２パネル面３及び第２パネル２のコアに形成されていてもよい。
【００８７】
第２パネル面３は装飾層を含んでいてもよく、挿入溝は装飾層を貫通していてもよい。
【００８８】
挿入溝は、フライス加工や鋸断等の機械的切削によって形成されていてもよい。
【００８９】
縁部溝を覆うため、及び第２縁部４を強化するため、好ましくは、縁部バンド等の縁部エレメント１０が第２縁部に取り付けられる。縁部エレメント１０は、第２縁部に接着されていてもよく、縁部エレメントから突出しており且つ縁部溝５に挿入されるように形成された部分を含む機械式係止装置によって取り付けられていてもよい。前記部分は、摩擦によって縁部溝に取り付けられていてもよい。可撓性タング６及び縁部溝５が見えるようにするため、縁部エレメントは、図５Ｂでは一部が除去してある。可撓性タング６は、縁部溝５に位置決めされる前の状態で示してある。
【００９０】
第２実施例の第１パネル１及びロッド状エレメント８は、夫々、第１実施例の第１パネル１及びロッド状エレメント８と同じであってもよい。
【００９１】
可撓性タング６の一実施例を図５Ａに立体図で示す。可撓性タング６は、本質的に直線状の第１縁部、及び屈曲可能部分６１を含む第２縁部を含んでいてもよい。屈曲可能部分６１は、好ましくは屈曲可能な第１部分及び屈曲可能な第２部分を含む。第１縁部は、好ましくは、ロッド状エレメント８の凹所９と協働するように形成されている。可撓性タングは、好ましくは、前記屈曲可能部分の各々に凹所６３を備えている。可撓性タングのこの実施例の利点は、比較的強いばね力が得られ、これにより強固に係止されるということである。第２パネルの幾つかの実施例についての欠点は、縁部溝の大きさが比較的大きくなるため、第２パネル２の第２縁部４が弱くなってしまうということである。
【００９２】
第１縁部は、組み立て中にロッド状エレメント８と協働するように形成された第１面取り部６５、及び／又は係止用凹所と協働するように形成された第２面取り部６４を含んでいてもよい。
【００９３】
図６は、第２パネル２の一部の平面図を示す。第２パネルは、前記縁部溝５を二つ又はそれ以上備えていてもよい。これらの縁部溝は隠されており、これらの縁部溝の輪郭は破線で示してある。可撓性タングの湾曲可能部分が縁部溝５の底面と協働してもよい。
【００９４】
図７Ａは、係止位置の第１パネル１及び第２パネル２の第１側面図を示し、図７Ｂは第２側面図を示す。
【００９５】
図８Ａは、係止位置の第１パネル１及び第２パネル２の図７Ｂで８Ａ線を付した場所の断面を示す。図８Ｂは、図８Ａの丸で囲った領域の拡大図を示す。挿入溝は、第２パネル面３から縁部溝５まで延びていてもよい。
【００９６】
可撓性タング６の係止面６２は、第１パネルを第２パネルに係止するため、凹所８１の係止面８２と協働してもよい。
【００９７】
挿入溝は、縁部溝５から所定距離のところに底面４３が配置された底付きドリル穴等の底付き溝であってもよい。
【００９８】
挿入溝は、縁部溝５の第１側の第１部分及び縁部溝５の第２側の第２部分を含んでいてもよい。第２部分は、底面４３及び側壁７１、７２を含み、係止位置では、ロッド状エレメントが挿入溝の第１部分及び縁部溝５を通って挿入溝の第２部分内に延びる。
【００９９】
ロッド状エレメント８は、第２方向で係止するため、挿入溝の第２部分の側壁７１、７２と協働するように形成されていてもよい。
【０１００】
ロッド状エレメント８は、係止位置において、底面４３と協働するように形成されていてもよい。
【０１０１】
第１部分は側壁７３、７４を含んでいてもよく、ロッド状エレメント８は、第２方向で係止するため、第１部分の側壁７３、７４と協働するように形成されていてもよい。
【０１０２】
縁部溝は、第２縁部面４から挿入溝７まで延びていてもよい。
【０１０３】
縁部溝５は、第１面と、反対側の第２面と、第１面と反対側の第２面との間を延びる底面４４とを含んでいてもよい。
【０１０４】
底面は、挿入溝７から所定距離のところに配置されていてもよい。
【０１０５】
可撓性タング６の湾曲可能部分６１は、縁部溝５の底面４４に配置されていてもよい。
【０１０６】
可撓性タング６は、縁部溝５の底面４４に配置されていてもよい。
【０１０７】
可撓性タングは、係止位置において、凹所９と縁部溝の底面４４との間に配置されていてもよい。
【０１０８】
可撓性タング６の一部が、第１面及び／又は第２面等の縁部溝５の表面に当たった状態で変位するように形成されていてもよい。
【０１０９】
ロッド状エレメント８は、第１縁部面１２の取り付け溝４５に取り付けられるように形成されていてもよい。
【０１１０】
ロッド状エレメント８は、第１縁部面１２の取り付け溝４５に接着されるように形成されていてもよい。
【０１１１】
ロッド状エレメント８は、摩擦連結によって、又はねじ等の機械的連結によって、又は返し等の係止エレメントによって、取り付け溝４５に係止されるように形成されていてもよい。
【０１１２】
第２縁部面４は、第２パネル面３に対して本質的に直角であってもよい。
【０１１３】
可撓性タング６は、ＷＯ２０１５／１０５４４９に説明されており且つその図２Ａ−図２Ｆに示された可撓性タングであってもよい。ＷＯ２０１５／１０５４４９の図２Ａ−図２Ｆ及び第６頁第１５行目乃至第７頁第２行目の関連した開示を明示することにより、この出願に開示された全ての内容は本明細書の開示の一部とされる。
【０１１４】
第１パネル１及び／又は第２パネル２のコアは、好ましくは、ＭＤＦ、ＨＤＦ、ＯＳＢ、ＷＰＣ、合板、又はパーティクルボードで形成された木材をベースとしたコアであってもよい。コアは、熱硬化性プラスチック又は熱可塑性樹脂、例えばビニル、ＰＶＣ、ＰＵ、又はＰＥＴを含むプラスチックコアであってもよい。プラスチックコアは、充填材を含んでいてもよい。
【０１１５】
第１パネル１及び／又は第２パネル２は、無垢材で形成されていてもよい。
【０１１６】
第１パネル１及び／又は第２パネル２には、ホイルやベニヤ等の装飾層が一つ又はそれ以上の表面に設けられていてもよい。
【符号の説明】
【０１１７】
１  第１パネル
２  第２パネル
３  第２パネル面
４  第２縁部面
５  縁部溝
６  可撓性タング
７  挿入溝
８  ロッド状エレメント
９  凹所
１２  第１縁部面
１３  第１パネル面
【図１Ａ】
2020500280.tif 000003
【図１Ｂ】
2020500280.tif 000004
【図２Ａ】
2020500280.tif 000005
【図２Ｂ】
2020500280.tif 000006
【図２Ｃ】
2020500280.tif 000007
【図３】
2020500280.tif 000008
【図４Ａ】
2020500280.tif 000009
【図４Ｂ】
2020500280.tif 000010
【図５Ａ】
2020500280.tif 000011
【図５Ｂ】
2020500280.tif 000012
【図６】
2020500280.tif 000013
【図７Ａ】
2020500280.tif 000014
【図７Ｂ】
2020500280.tif 000015
【図８Ａ】
2020500280.tif 000016
【図８Ｂ】
2020500280.tif 000017
【国際調査報告】
2020500280.tif 000018
2020500280.tif 000019
2020500280.tif 000020
2020500280.tif 000021